(57)【特許請求の範囲】
【請求項１】
一対のコネクタの一方に装着され、嵌合操作開始位置から嵌合操作完了位置への操作によって一対の前記コネクタ間に嵌合力を作用させ、一対の前記コネクタ間を嵌合開始位置から嵌合完了位置まで変位させるレバー治具であって、
一方の前記コネクタを装着位置に挿入できるコネクタ装着部と、前記コネクタ装着部にスライド自在に支持され、一方の前記コネクタを装着位置に保持し、スライド移動によって一方の前記コネクタの装着位置での保持を解除するコネクタ保持解除位置に変位するスライド部材と、前記コネクタ装着部に移動自在に支持され、嵌合操作完了位置では前記スライド部材をコネクタ保持解除位置に変位させるレバー本体とを備えたことを特徴とするレバー治具。
【請求項２】
請求項１記載のレバー治具であって、
前記スライド部材は、一方の前記コネクタの固定突部に対応する位置に固定突部を有し、
前記スライド部材の左右の各固定突部は、前記スライド部材のコネクタ保持解除位置以外の位置では、一方の前記コネクタの前記固定突部に重なる位置に、前記スライド部材のコネクタ保持解除位置では一方の前記コネクタの前記固定突部に重ならない位置に変位することを特徴とするレバー治具。
【請求項３】
互いに嵌合可能である一対のコネクタと、
一対の前記コネクタの一方に装着され、操作開始位置から操作完了位置への操作によって一対の前記コネクタ間に嵌合力を作用させて、一対の前記コネクタ間を嵌合開始位置から嵌合完了位置まで変位させるレバー治具とを備えたコネクタ装置であって、
一方の前記コネクタは、前記レバー治具に装着でき、且つ、装着位置から取り外しできるよう設けられ、
前記レバー治具は、一方の前記コネクタを装着位置に挿入できるコネクタ装着部と、前記コネクタ装着部にスライド自在に支持され、一方の前記コネクタを装着位置に保持し、スライド移動によって一方の前記コネクタの装着位置での保持を解除するコネクタ保持解除位置との間で変位するスライド部材と、前記コネクタ装着部に移動自在に支持され、嵌合操作完了位置では前記スライド部材をコネクタ保持解除位置に変位させるレバー本体とを備えたことを特徴とするコネクタ装置。
【請求項４】
請求項３記載のコネクタ装置であって、
一方の前記コネクタは、複数の固定突部を有し、
前記スライド部材は、一方の前記コネクタの固定突部に対応する位置に複数の固定突部を有し、
一方の前記コネクタと前記スライド部材の各固定突部は、前記スライド部材のコネクタ保持解除位置以外の位置では互いに重なる位置に、前記スライド部材のコネクタ保持解除位置では互いに重ならない位置に変位することを特徴とするコネクタ装置。
【発明の詳細な説明】
【技術分野】
【０００１】
本発明は、一対のコネクタ間を低い操作力で嵌合できるレバー治具、及び、これを用いるコネクタ装置に関する。
【背景技術】
【０００２】
従来より、レバーの操作で一対のコネクタを低い操作力で嵌合できるようにしたコネクタ装置が種々提案されている（例えば、特許文献１参照。）。このようなコネクタ装置の中には、コネクタにレバーを着脱自在、つまり、レバー治具として設けたものも提案されている。レバー治具とすることにより複数のコネクタ装置の嵌合作業を行い、部品費の削減等を図ることができる。かかるレバー治具及びこれを用いたコネクタ装置の一従来例が図１４〜図１７に示されている。以下、説明する。
【０００３】
コネクタ装置１００は、図１４に示すように、レバー治具１０１と一対のコネクタである雌コネクタ１２０及び雄コネクタ１３０とを備えている。
【０００４】
レバー治具１０１は、図１５に詳しく示すように、コネクタ装着部１０２と、このコネクタ装着部１０２に回転自在に支持されたレバー本体１１０とを備えている。コネクタ装着部１０２は、一対の側壁１０３とこれらを連結する連結壁部１０４とを有する。一対の側壁１０３の上端には、互いに内側に突出する上方ストッパ片１０３ａが設けられている。一対の側壁１０３内には、底面側から雌コネクタ１２０が挿入できるようになっている。一対の側壁１０３には、内側に突出するコネクタ係止爪１０５が複数箇所にそれぞれ設けられている。一対の側壁１０３の外面には、一対の支持ピン１０６が突設されている。一対の側壁１０３には、一対の仮係止孔１０７が設けられていると共に各仮係止孔１０７に連通するガイドスリット１０８が設けられている。一対の側壁１０３で、且つ、仮係止孔１０７の下方には、レバーストッパ部１０９が突設されている。
【０００５】
レバー本体１１０は、一対のアーム部１１１と、この一対のアーム部１１１間を先端で連結する操作部１１２とを備えている。一対のアーム部１１１の内面側には、一対のピン受け孔１１３が設けられている。この一対のピン受け孔１１３にコネクタ装着部１０２の各支持ピン１０６が挿入されている。これにより、レバー本体１１０は、一対の支持ピン１０６を支点として嵌合操作開始位置と嵌合操作完了位置の間で回転操作できる。一対のアーム部１１１の内側には、一対のボス引き込み溝１１４が設けられている。一対のアーム部１１１には、内側に突出する仮係止爪１１５がそれぞれ設けられている。レバー本体１１０は、レバーストッパ部１０９に突き当たる位置では、仮係止爪１１５が仮係止孔１０７に係止される。この位置がレバー本体１１０の嵌合操作開始位置である（図１４参照）。
【０００６】
図１４に示すように、雌コネクタ１２０と雄コネクタ１３０は、互いに嵌合、離脱可能に設けられている。雌コネクタ１２０と雄コネクタ１３０には、共に多数の端子（図示せず）を有し、嵌合状態では双方の多数の端子（図示せず）間が接触される。雌コネクタ１２０の上部には、両側面より突出するフランジ部１２１が設けられている。雄コネクタ１３０は、上方が開口されたコネクタ嵌合室１３１を有する。雄コネクタ１３０の両側面には、一対のボス部１３２と、一対の仮係止解除・ガイドリブ１３３が突設されている。
【０００７】
次に、雌コネクタ１２０と雄コネクタ１３０の嵌合作業を説明する。レバー治具１０１のレバー本体１１０は、嵌合操作開始位置にセットされているものとする。先ず、レバー治具１０１のコネクタ装着部１０２の底面側より雌コネクタ１２０を挿入する。完全挿入位置まで挿入されると、雌コネクタ１２０のフランジ部１２１にコネクタ装着部１０２の各コネクタ係止爪１０５が係止する。これでレバー治具１０１と雌コネクタ１２０が連結される。
【０００８】
次に、雄コネクタ１３０のコネクタ嵌合室１３１に雌コネクタ１２０を挿入する。すると、雄コネクタ１３０の仮係止解除・ガイドリブ１３３が仮係止爪１１５を解除位置に変位させ、レバー本体１１０が回転操作可能となる。又、雄コネクタ１３０の一対のボス部１３２がレバー本体１１０の一対のボス引き込み溝１１４に入り込む。これで、雌コネクタ１２０と雄コネクタ１３０が嵌合開始位置にセットされる。
【０００９】
次に、レバー本体１１０を嵌合操作開始位置から嵌合操作完了位置側に回転操作する。すると、雄コネクタ１３０の一対のボス部１３２がレバー本体１１０の一対のボス引き込み溝１１４を移動し、雄コネクタ１３０が雌コネクタ１２０に引き込まれる。つまり、雄コネクタ１３０が嵌合位置側に移動する。図１６及び図１７に示すように、レバー本体１１０の回転操作が進み、嵌合操作完了位置の近くまで来ると、雄コネクタ１３０の左右上端がコネクタ装着部１０２の各コネクタ係止爪１０５に突き当たる。この状態より更にレバー本体１１０を嵌合操作完了位置まで回転すると、雄コネクタ１３０が嵌合完了位置まで引き込まれると共に各コネクタ係止爪１０５が解除位置に変位される。これで、雌コネクタ１２０と雄コネクタ１３０の嵌合作業が完了する。レバー治具１０１は、各コネクタ係止爪１０５が解除位置とされるため、雌コネクタ１２０より離脱させることができる。
【先行技術文献】
【特許文献】
【００１０】
【特許文献１】特開２００９−１８７８６３号公報
【発明の概要】
【発明が解決しようとする課題】
【００１１】
しかしながら、前記従来のレバー治具１０１及びこれを用いたコネクタ装置１００では、嵌合作業中に雌コネクタ１２０と雄コネクタ１３０の相対的位置が傾くと、嵌合操作完了位置よりも手前位置で深く引き込まれた側のコネクタ係止爪１０５が解除位置に変位する。一部のコネクタ係止爪１０５が解除位置に変位すると、レバー治具１０１を雌コネクタ１２０より取り外し可能となる。従って、雌コネクタ１２０及び雄コネクタ１３０間が半嵌合の状態でレバー治具１０１を雌コネクタ１２０より取り外してしまう恐れがある。
【００１２】
そこで、本発明は、前記した課題を解決すべくなされたものであり、一対のコネクタの半嵌合状態における取り外しを確実に防止できるレバー治具及びこれに用いたコネクタ装置を提供することを目的とする。
【課題を解決するための手段】
【００１３】
本発明は、一対のコネクタの一方に装着され、嵌合操作開始位置から嵌合操作完了位置への操作によって一対の前記コネクタ間に嵌合力を作用させ、一対の前記コネクタ間を嵌合開始位置から嵌合完了位置まで変位させるレバー治具であって、一方の前記コネクタを装着位置に挿入できるコネクタ装着部と、前記コネクタ装着部にスライド自在に支持され、一方の前記コネクタを装着位置に保持し、スライド移動によって一方の前記コネクタの装着位置での保持を解除するコネクタ保持解除位置に変位するスライド部材と、前記コネクタ装着部に移動自在に支持され、嵌合操作完了位置では前記スライド部材をコネクタ保持解除位置に変位させるレバー本体とを備えたことを特徴とするレバー治具である。
【００１４】
前記スライド部材は、一方の前記コネクタの固定突部に対応する位置に固定突部を有し、前記スライド部材の各固定突部は、前記スライド部材のコネクタ保持解除位置以外の位置では、一方の前記コネクタの前記固定突部に重なる位置に、前記スライド部材のコネクタ保持解除位置では一方の前記コネクタの前記固定突部に重ならない位置に変位するよう構成することが好ましい。
【００１５】
他の本発明は、互いに嵌合可能である一対のコネクタと、一対の前記コネクタの一方に装着され、操作開始位置から操作完了位置への操作によって一対の前記コネクタ間に嵌合力を作用させて、一対の前記コネクタ間を嵌合開始位置から嵌合完了位置まで変位させるレバー治具とを備えたコネクタ装置であって、一方の前記コネクタは、前記レバー治具に装着でき、且つ、装着位置から取り外しできるよう設けられ、前記レバー治具は、一方の前記コネクタを装着位置に挿入できるコネクタ装着部と、前記コネクタ装着部にスライド自在に支持され、一方の前記コネクタを装着位置に保持し、スライド移動によって一方の前記コネクタの装着位置での保持を解除するコネクタ保持解除位置に変位するスライド部材と、前記コネクタ装着部に移動自在に支持され、嵌合操作完了位置では前記スライド部材をコネクタ保持解除位置に変位させるレバー本体とを備えたことを特徴とするコネクタ装置である。
【００１６】
一方の前記コネクタは、複数の固定突部を有し、前記スライド部材は、一方の前記コネクタの固定突部に対応する位置に複数の固定突部を有し、一方の前記コネクタと前記スライド部材の各固定突部は、前記スライド部材のコネクタ保持解除位置以外の位置では互いに重なる位置に、前記スライド部材のコネクタ保持解除位置では互いに重ならない位置に変位するよう構成することが好ましい。
【発明の効果】
【００１７】
本発明によれば、レバー治具を嵌合操作開始位置から嵌合操作完了位置に操作し、嵌合操作完了位置若しくはそれを超える操作位置まで操作して初めてスライド部材がコネクタ保持解除位置に変位してレバー治具を一方のコネクタより取り外し可能となる。従って、一対のコネクタ間が半嵌合の状態では取り外しできないため、一対のコネクタの半嵌合状態における取り外しを確実に防止できる。
【図面の簡単な説明】
【００１８】
【図１】本発明の一実施形態を示し、コネクタ装置の分解斜視図である。
【図２】本発明の一実施形態を示し、（ａ）はレバー治具の斜視図である。
【図３】本発明の一実施形態を示し、（ａ）は図２のＡ−Ａ線断面図、（ｂ）は図２のＢ−Ｂ線断面図である。
【図４】本発明の一実施形態を示し、（ａ）はレバー治具のコネクタ装着部の斜視図、（ｂ）はスライド部材の斜視図である。
【図５】本発明の一実施形態を示し、レバー治具のレバー本体の分解斜視図である。
【図６】本発明の一実施形態を示し、コネクタ嵌合作業の一過程を示す斜視図である。
【図７】本発明の一実施形態を示し、コネクタ嵌合作業の一過程を示す斜視図である。
【図８】本発明の一実施形態を示し、コネクタ嵌合作業の一過程を示す斜視図である。
【図９】本発明の一実施形態を示し、コネクタ嵌合作業の一過程を示す斜視図である。
【図１０】本発明の一実施形態を示し、コネクタ嵌合作業の一過程を示す斜視図である。
【図１１】本発明の一実施形態を示し、コネクタ嵌合作業の一過程を示す斜視図である。
【図１２】本発明の一実施形態を示し、図８のＣ−Ｃ線断面図である。
【図１３】本発明の一実施形態を示し、図１０のＤ−Ｄ線断面図である。
【図１４】従来例を示し、コネクタ装置の分解斜視図である。
【図１５】従来例を示し、レバー治具の分解斜視図である。
【図１６】従来例を示し、コネクタ嵌合作業の一過程を示す斜視図である。
【図１７】従来例を示し、コネクタ嵌合作業の一過程を示す側面図である。
【発明を実施するための形態】
【００１９】
以下、本発明の実施形態を図面に基づいて説明する。
【００２０】
図１〜図１３は本発明の一実施形態を示す。図１に示すように、コネクタ装置１は、レバー治具２と一対のコネクタである雌コネクタ２０及び雄コネクタ３０とを備えている。
【００２１】
レバー治具２は、図１〜図５に示すように、コネクタ装着部３と、このコネクタ装着部３内にスライド自在に収容された一対のスライド部材４Ａ，４Ｂと、コネクタ装着部３の外側に回転自在に支持されたレバー本体１０とを備えている。
【００２２】
コネクタ装着部３は、一対の側壁３ａとこれらを連結する連結後壁３ｂと各側壁３ａの上部より内側に突出された一対の上面規制壁３ｃとを有する。コネクタ装着部３内には、雌コネクタ２０を配置できるスペースが形成されている。このスペースには、コネクタ装着部３の前面側と底面側より雌コネクタ２０の挿入・離脱ができる。一対の側壁３ａの内面側には、一対のスライドレール部３ｄが設けられている。一対のスライドレール部３ｄは、上面規制壁３ｃに入り込むようにして設けられている。一対のスライドレール部３ｄは、各側壁３ａの全長に亘って設けられている。
【００２３】
一対の側壁３ａには、一対のピン逃げ孔５が設けられている。このピン逃げ孔５は、レバー本体１０の下記するスライド用ピン１６の回転軌跡に沿う円弧形状で、且つ、スライド用ピン１６の回転軌跡範囲と同一若しくはそれより長い寸法に設定されている。
【００２４】
一対の側壁３ａの外面には、一対の支持ピン６が突設されている。一対の側壁３ａには、一対の仮係止孔７が設けられていると共に各仮係止孔７に連通するガイドスリット８が設けられている。一対の側壁３ａの外面には、仮係止孔７の下方にレバーストッパ部９が突設されている。
【００２５】
連結後壁３ｂには、一対の側壁３ａの内側スペースに向かってストッパ壁３ｅが突設されている。コネクタ装着部３の前面側より挿入された雌コネクタ２０は、ストッパ壁３ｅに突き当たる位置まで挿入可能である。この位置が雌コネクタ２０の装着位置である。
【００２６】
又、コネクタ装着部３には、装着位置に位置する雌コネクタ２０の前面側へのスライド移動を阻止するスライドロック手段（図示せず）が設けられている。
【００２７】
各スライド部材４Ａ，４Ｂは、スライド本体４ａとこのスライド本体４ａより内側に向かって突設する複数の固定突部４０ａ〜４０ｄ，４１ａ〜４１ｅとをそれぞれ有する。各スライド本体４ａには、湾曲形状のピン干渉孔４ｃがそれぞれ設けられている。このピン干渉孔４ｃは、レバー本体１０の下記するスライド用ピン１６の回転軌跡に沿う円弧形状で、且つ、スライド用ピン１６の回転軌跡範囲より短い寸法に設定されている。これにより、一対のスライド部材４Ａ，４Ｂは、レバー本体１０の回転操作によってスライド力を受ける。このスライド力によって一対のスライド部材４Ａ，４Ｂは、コネクタ初期保持位置（図３（ａ）の実線位置）とコネクタ保持解除位置（図３（ａ）の仮想線位置）の間でスライド移動する。
【００２８】
複数の固定突部４０ａ〜４０ｄ，４１ａ〜４１ｅの配置パターンについては、下記に詳述する。
【００２９】
レバー本体１０は、一対のアーム部１１と、この一対のアーム部１１間を先端で連結する操作部１２とを備えている。一対のアーム部１１の内面側には、一対のピン受け孔１３が設けられている。この一対のピン受け孔１３にコネクタ装着部３の各支持ピン６が挿入されている。これにより、レバー本体１０は、一対の支持ピン６を支点として嵌合操作開始位置から嵌合操作完了位置の間で回転操作できる。一対のアーム部１１の内側には、一対のボス引き込み溝１４が設けられている。各ボス引き込み溝１４は、レバー本体１０の嵌合操作開始位置と嵌合操作完了位置では、それぞれ真下位置に開口する。つまり、レバー本体１０の嵌合操作開始位置と嵌合操作完了位置では、各ボス引き込み溝１４に下記する雄コネクタ３０のボス部３２が挿入・離脱できるようになっている。
【００３０】
一対のアーム部１１には、内側に突出する仮係止爪１５がそれぞれ設けられている。レバー本体１０は、レバーストッパ部９に突き当たる位置では、仮係止爪１５が仮係止孔７に係止される。この位置がレバー本体１０の嵌合操作開始位置である（図６，図７参照）。
【００３１】
一対のアーム部１１の内側には、一対のスライド用ピン１６が設けられている。一対のスライド用ピン１６は、コネクタ装着部３の一対のピン逃げ孔５と一対のスライド部材４Ａ，４Ｂのピン干渉孔４ｃに挿入されている。一対のスライド部材４Ａ，４Ｂは、コネクタ保持位置に位置する場合、レバー本体１０の嵌合操作開始位置から嵌合操作完了位置の回転操作では、その前半の操作過程では一対のスライド用ピン１６がピン干渉孔４ｃ内を移動する。そのため、前半の操作過程では、一対のスライド部材４Ａ，４Ｂは、レバー本体１０の操作でスライドせずにコネクタ初期保持位置に位置し続ける。レバー本体１０の後半の操作過程では、一対のスライド用ピン１６がピン干渉孔４ｃの端面を押圧し、一対のスライド部材４Ａ，４Ｂがコネクタ保持解除位置側にスライドを開始し、嵌合操作完了位置ではコネクタ保持解除位置まで移動する。
【００３２】
つまり、レバー本体１０は、雌コネクタ２０及び雄コネクタ３０の嵌合と一対のスライド部材４Ａ，４Ｂのスライドの両方を行う。
【００３３】
図１に示すように、雌コネクタ２０と雄コネクタ３０は、互いに嵌合、離脱可能に設けられている。雌コネクタ２０と雄コネクタ３０には、共に多数の端子（図示せず）を有し、嵌合状態では双方の多数の端子（図示せず）間が接触される。
【００３４】
雌コネクタ２０の両側面の上部には、複数の固定突部２１ａ〜２１ｄ，２２ａ〜２２ｅがそれぞれ設けられている。複数の固定突部２１ａ〜２１ｄ，２２ａ，２２ｂ，２２ｄ，２２ｅは、ハウジングに上端より突設されることによって構成されている。固定突部２２ｃのみは、コネクタロック部２３の操作部を利用して構成されている。
【００３５】
ここで、雌コネクタ２０側の固定突部２１ａ〜２１ｄ、２２ａ〜２２ｅと、スライド部材４Ａ，４Ｂ側の固定突部４０ａ〜４０ｄ，４１ａ〜４１ｅの配置パターンを説明する。
【００３６】
各スライド部材４Ａ，４Ｂの固定突部４０ａ〜４０ｄ，４１ａ〜４１ｅと、雌コネクタ２０側の固定突部２１ａ〜２１ｄ，２２ａ〜２２ｅは、それぞれ間隔を置いて配置されている。一対のスライド部材４Ａ，４Ｂの両端位置の固定突部４０ａ，４０ｄ，４１ａ，４１ｅと、雌コネクタ２０側の両端位置の固定突部２１ａ，２１ｄ，２２ａ，２２ｅは、コネクタ挿入方向Ｓ（スライド方向）に対しそれぞれほぼ同じ位置に設定されているが、中間位置の固定突部４０ｂ〜４０ｄ，４１ｂ〜４１ｄ及び固定突部２１ｂ〜２１ｄ，２２ｂ〜２２ｄは、コネクタ挿入方向Ｓ（スライド方向）に対し互い違いの位置に設定されている。
【００３７】
雌コネクタ２０をコネクタ装着部３内にスライド挿入する過程では、いずれかの固定突部２１ａ〜２１ｄ、２２ａ〜２２ｅは一対のスライド部材４Ａ，４Ｂの固定突部４０ａ〜４０ｄ、４１ａ〜４１ｅ上に一部でも常に載置された状態になるため、雌コネクタ２０は一対のスライド部材４Ａ，４Ｂ上をスムーズにスライドして装着位置まで挿入される。そして、一対のスライド部材４Ａ，４Ｂは、コネクタ保持解除位置（図３（ａ）の仮想線位置）以外の位置（図３（ａ）のコネクタ初期保持位置を含む）では、固定突部４０ａ〜４０ｄ、４１ａ〜４１ｅが雌コネクタ２０の固定突部２１ａ〜２１ｄ、２２ａ〜２２ｅに少なくとも一部重なる位置に位置する。従って、コネクタ保持解除位置以外の位置では、装着位置の雌コネクタ２０を保持する。コネクタ保持解除位置（図３（ａ）の仮想線位置）では、固定突部４０ａ〜４０ｄ、４１ａ〜４１ｅが雌コネクタ２０の固定突部２１ａ〜２１ｄ、２２ａ〜２２ｅに重ならない位置に位置する。従って、コネクタ保持解除位置では、装着位置の雌コネクタ２０を保持しない。
【００３８】
雄コネクタ３０は、上方が開口されたコネクタ嵌合室３１を有する。雄コネクタ３０の両側面には、一対のボス部３２が突設されている。
【００３９】
次に、雌コネクタ２０と雄コネクタ３０の嵌合作業を説明する。レバー治具２のレバー本体１０は、嵌合操作開始位置にセットされているものとする。嵌合操作開始位置では、一対のスライド部材４Ａ，４Ｂは、コネクタ初期保持位置に位置する。
【００４０】
先ず、図６に示すように、レバー治具２のコネクタ装着部３内に、その前面側より雌コネクタ２０を挿入する。雌コネクタ２０は、コネクタ装着部３のストッパ壁３ｅに突き当たる装着位置まで挿入する。装着位置の雌コネクタ２０は、スライドロック手段（図示せず）によって位置決め、コネクタ装着部３より取り外しできない。これで、レバー治具２への雌コネクタ２０のセットが完了する。
【００４１】
次に、図７に示すように、雄コネクタ３０のコネクタ嵌合室３１に雌コネクタ２０を挿入する。この挿入によって、雄コネクタ３０の一対のボス部３２がレバー本体１０の一対のボス引き込み溝１４に入り込む。これで、雌コネクタ２０と雄コネクタ３０が嵌合開始位置にセットされる。
【００４２】
次に、図８に示すように、レバー本体１０を嵌合操作開始位置から嵌合操作完了位置側に回転操作する。すると、雄コネクタ３０の一対のボス部３２がレバー本体１０の一対のボス引き込み溝１４を移動し、雄コネクタ３０が雌コネクタ２０に引き込まれる。つまり、雄コネクタ３０が嵌合位置側に移動する。又、レバー本体１０の嵌合操作開始位置から嵌合操作完了位置の前半の操作過程では、図１２に示すように、一対のスライド部材４Ａ，４Ｂは、スライド移動せずに雌コネクタ２０を装着位置に保持する。これにより、雌コネクタ２０は、取り外しできない。
【００４３】
レバー本体１０の回転操作が進み、嵌合操作完了位置への後半過程になると、図９に示すように、初めて一対のスライド部材４Ａ，４Ｂがコネクタ初期保持位置からコネクタ保持解除位置側にスライドを開始する。一対のスライド部材４Ａ，４Ｂのスライドによって、スライド部材４Ａ，４Ｂ側の固定突部４０ａ〜４０ｄ、４１ａ〜４１ｅと雌コネクタ２０の固定突部２１ａ〜２１ｄ、２２ａ〜２２ｅの重なり面積が徐々に減少するが、一対のスライド部材４Ａ，４Ｂは雌コネクタ２０の装着位置を保持する。
【００４４】
レバー本体１０が嵌合操作完了位置まで回転操作されると、図１０に示すように、雄コネクタ３０が嵌合完了位置まで引き込まれる。又、図１３に示すように、一対のスライド部材４Ａ，４Ｂがコネクタ保持解除位置まで変位する。これで、雌コネクタ２０をコネクタ装着部３の底面側より離脱可能となり、レバー治具２を雌コネクタ２０より取り外し可能となる。図１１に示すように、レバー治具２を雌コネクタ２０より取り外し、コネクタ嵌合作業が完了する。
【００４５】
尚、レバー治具２より雌コネクタ２０を取り外した後、レバー本体１０を嵌合操作完了位置から嵌合操作開始位置に逆回転操作すると、一対のスライド部材４Ａ，４Ｂは、コネクタ装着解除位置からコネクタ初期保持位置に戻る。
【００４６】
以上説明したように、レバー治具２は、雌コネクタ２０を装着位置に挿入できるコネクタ装着部３と、このコネクタ装着部３にスライド自在に支持され、雌コネクタ２０を装着位置に保持し、スライド移動によって雌コネクタ２０の装着位置での保持を解除するコネクタ保持解除位置に変位するスライド部材４Ａ，４Ｂと、コネクタ装着部３に移動自在に支持され、嵌合操作完了位置ではスライド部材４Ａ，４Ｂをコネクタ保持解除位置に変位させるレバー本体１０とを備えている。従って、レバー治具２を嵌合操作開始位置から嵌合操作完了位置に操作し、レバー治具２を嵌合操作完了位置まで操作して初めてレバー治具２を雌コネクタ２０より取り外し可能となる。以上より、雌コネクタ２０と雄コネクタ３０間が半嵌合の状態では取り外しできないため、雌コネクタ２０と雄コネクタ３０間の半嵌合状態における取り外しを確実に防止できる。
【００４７】
雌コネクタ２０は、複数の固定突部２１ａ〜２１ｄ、２２ａ〜２２ｅを有し、一対のスライド部材４Ａ、４Ｂは、雌コネクタ２０の固定突部２１ａ〜２１ｄ、２２ａ〜２２ｅに対応する位置に複数の固定突部４０ａ〜４０ｄ、４１ａ〜４１ｅを有し、雌コネクタ２０と一対のスライド部材４Ａ，４Ｂの各固定突部２１ａ〜２１ｄ、２２ａ〜２２ｅ、４０ａ〜４０ｄ、４１ａ〜４１ｅは、一対のスライド部材４Ａ，４Ｂのコネクタ保持解除位置以外の位置では互いに重なる位置に、スライド部材４Ａ，４Ｂのコネクタ保持解除位置では互いに重ならない位置に変位するよう構成されている。従って、従来例のコネクタ係止爪のように弾性撓み変形を利用しないため、繰り返し作業を行っても変形することがないため、レバー治具２としての耐久性、信頼性が向上する。
【符号の説明】
【００４８】
１  コネクタ装置
２  レバー治具
３  コネクタ装着部
４Ａ，４Ｂ  スライド部材
４０ａ〜４０ｄ、４１ａ〜４１ｅ  固定突部
１０  レバー本体
２０  雌コネクタ（コネクタ）
２１ａ〜２１ｄ、２２ａ〜２２ｅ  固定突部
３０  雄コネクタ（コネクタ）
【図１】
0005662210.tif 000002
【図２】
0005662210.tif 000003
【図３】
0005662210.tif 000004
【図４】
0005662210.tif 000005
【図５】
0005662210.tif 000006
【図６】
0005662210.tif 000007
【図７】
0005662210.tif 000008
【図８】
0005662210.tif 000009
【図９】
0005662210.tif 000010
【図１０】
0005662210.tif 000011
【図１１】
0005662210.tif 000012
【図１２】
0005662210.tif 000013
【図１３】
0005662210.tif 000014
【図１４】
0005662210.tif 000015
【図１５】
0005662210.tif 000016
【図１６】
0005662210.tif 000017
【図１７】
0005662210.tif 000018